【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
共振器空洞と、
前記共振器空洞の対向する端部に配置される少なくとも第１反射器及び第２反射器と、
前記共振器空洞の外部のポンプ源からのポンプビームによってポンピングされた際に前記共振器空洞内において共振する連続波基本ビームを生成する前記共振器空洞内に配置されるレーザー利得媒質と、
前記連続波基本ビームをラマンシフトさせて前記共振器空洞内において共振する連続波ラマンビームを生成する前記共振器空洞内に配置される固体ラマン活性媒質と、
前記連続波ラマンビームを変換済み波長に周波数変換して連続波変換済みビームを生成する前記共振器空洞内に配置される非線形媒質とを有する連続波レーザーにおいて、
前記共振器空洞は、前記連続波基本ビームの波長において高フィネス共振器空洞であり、且つ、前記共振器空洞は、前記連続波ラマンビームの波長において高フィネス共振器空洞であり、さらに、前記共振器空洞は、前記連続波変換済みビームの波長において低フィネス共振器空洞であることを特徴とする、連続波レーザー。
【請求項２】
動作の際に、ラマン結晶内の前記連続波基本ビームの空洞内強度は、８０ｋＷ／ｃｍ２を上回り、且つ、非線形材料内の前記連続波ラマンビームの空洞内強度は、８０ｋＷ／ｃｍ２を上回る請求項１記載の連続波レーザー。
【請求項３】
前記連続波基本ビーム及び前記連続波ラマンビームの両方の波長における前記第１及び第２反射器の両方の反射率は、９９．９５％〜９９．９９９％のレンジ内である請求項１又は２記載の連続波レーザー。
【請求項４】
前記共振器空洞からの前記連続波変換済みビームの出力のために構成された出力カプラを更に有する請求項１〜３のいずれか一項に記載の連続波レーザー。
【請求項５】
前記第１又は第２反射器のいずれか一方は、前記出力カプラである請求項４記載の連続波レーザー。
【請求項６】
前記レーザー利得媒質、ラマン活性媒質、及び前記非線形媒質は、それぞれ、プレーン平行固体ラマン材料であり、
前記共振器空洞は、それに沿って前記連続波基本ビーム及び前記連続波ラマンビームが各々の空洞モードにおいて前記共振器空洞内を伝播する共振器軸を有し、前記プレーン平行固体ラマン材料のプレーン平行表面は、前記共振器軸と、ラマン結晶の前記プレーン平行表面の各々の垂線との間の角度オフセットが約０度〜１度のレンジ内であるように、前記共振器軸上に位置しており、
この場合に、前記プレーン平行表面は、前記ラマン結晶の前記プレーン平行表面からの前記連続波基本ビーム及び前記連続波ラマンビームの光学反射が、前記各々の空洞モード内に反射され、且つ、前記共振器空洞内において伝播を継続するように、前記共振器軸に実質的に垂直になるように配置される、請求項１記載の連続波レーザー。
【請求項７】
前記連続波基本ビームの波長及び前記連続波ラマンビームの波長の両方における前記共振器空洞の往復損失は、０．００１％〜２％のレンジ内である請求項１〜６のいずれか一項に記載の連続波レーザー。
【請求項８】
前記レーザー利得媒質は、ＹＡＧ、ＫＹＷ、ＫＧＷ、ＹＶＯ４、ＧｄＶＯ４、またはＹＬＦのグループから選択され、且つ、活性ドーパントイオンによってドーピングされ、また一方で、前記ラマン活性媒質は、ＹＶＯ４、ダイアモンド、ＧｄＶＯ４、ＢａＷＯ４、またはＫＧＷのグループから選択される請求項１〜７のいずれか一項に記載の連続波レーザー。
【請求項９】
前記レーザー利得媒質及び前記ラマン活性媒質は、前記連続波基本ビーム及び前記連続波ラマンビームの両方を生成するラマン活性利得媒質内で提供される請求項１〜８のいずれか一項に記載の連続波レーザー。
【請求項１０】
前記非線形媒質は、調整可能な非線形媒質を有し、且つ、前記連続波レーザーは、さらに、前記非線形媒質を調整するチューナーを有しており、これによって、前記連続波ラマンビーム周波数倍増、前記連続波基本ビームの周波数倍増、並びに、前記連続波基本ビームの波長及び前記連続波ラマンビームの波長の和周波数混合の間の切り換えを可能にし、ひいては、前記連続波変換済みビームの波長の選択を可能にする請求項１記載の連続波レーザー。
【請求項１１】
前記連続波レーザーが、さらに、２つ以上の非線形媒質と、前記２つ以上の非線形媒質を調整するための２つ以上のチューナーとを有しており、これによって、前記連続波ラマンビーム周波数倍増、前記連続波基本ビームの周波数倍増、並びに、前記連続波基本ビームの波長及び前記連続波ラマンビームの波長の和周波数混合の間の切り換えを可能にする請求項１〜１０のいずれか一項に記載の連続波レーザー。
【請求項１２】
前記共振器空洞内に配置される第３反射器を更に有し、利得材料及びラマン材料は、前記第１及び前記第３反射器の中間に配置され、且つ、非線形材料は、前記第３及び前記第２反射器の中間に配置され、この場合に、前記第３反射器は、前記連続波基本ビーム及び前記連続波ラマンビームの両方の光学波長における高い反射率のために構成され、且つ、前記第３反射器は、前記連続波変換済みビームの波長の高い透過率のためにも構成される請求項１〜１１のいずれか一項に記載の連続波レーザー。
【請求項１３】
前記共振器空洞内に配置される第３反射器を更に有し、利得材料及びラマン材料は、前記第１及び前記第３反射器の中間に配置され、且つ、非線形材料は、前記第３及び前記第２反射器の中間に配置され、この場合に、前記第３反射器は、前記連続波基本ビーム及び前記連続波ラマンビームの両方の光学波長における高い透過率のために構成され、且つ、前記第３反射器は、前記連続波変換済みビームの波長の高い反射率のためにも構成される請求項１〜１１のいずれか一項に記載の連続波レーザー。
【請求項１４】
前記共振器空洞は、共振器モードを有し、且つ、前記レーザーは、前記共振器内にそれぞれ配置される第３及び第４反射器を更に有し、この場合に、共振器モードサイズが、前記レーザー利得媒質、前記ラマン活性媒質、及び前記非線形媒質の各々の内部において独立的に構成可能となるように、前記レーザー利得媒質は、前記第３及び第４反射器の中間に配置され、前記ラマン活性媒質は、前記第１及び第３反射器の中間に配置され、且つ、前記非線形媒質は、前記第４及び第２反射器の中間に配置される請求項１〜１１のいずれか一項に記載の連続波レーザー。
【請求項１５】
前記第２反射器または前記第３反射器のいずれか一方は、前記共振器空洞から前記連続波変換済みビームを出力するように構成された出力カプラである請求項１２〜１４のいずれか一項に記載の連続波レーザー。
【請求項１６】
前記第１及び第２反射器、前記レーザー利得媒質、前記ラマン活性媒質、及び前記非線形媒質の要素は、それぞれ、選択された隣接する要素間の離隔距離が０．１〜２ｍｍのレンジ内になるように配置される請求項１〜１５のいずれか一項に記載の連続波レーザー。
【請求項１７】
前記連続波変換済みビームは、５５０〜６６０ｎｍのレンジ内の波長を有する請求項１〜１６のいずれか一項に記載の連続波レーザー。
【請求項１８】
連続波レーザー出力を生成する方法において、
共振器空洞の対向する端部に配置される少なくとも第１反射器及び第２反射器を有する共振器空洞を提供する段階であって、前記共振器空洞は、連続波基本ビームの波長において高フィネス共振器空洞であり、且つ、前記共振器空洞は、連続波ラマンビームの波長において高フィネス共振器空洞であり、さらに、前記共振器空洞は、連続波変換済みビームの波長において低フィネス共振器空洞であるような前記共振器空洞を提供する段階と、
前記共振器空洞の外部に配置されているポンプ源によって、前記共振器空洞内に配置されるレーザー利得媒質を光学的にポンピングして前記共振器空洞内において共振する前記連続波基本ビームを生成する段階と、
前記共振器空洞内に配置される固体ラマン活性媒質によって、前記連続波基本ビームをラマンシフトさせて前記共振器空洞内において共振する前記連続波ラマンビームを生成する段階と、
前記共振器空洞内に配置される非線形媒質によって、前記連続波ラマンビームを変換済み波長に周波数変換して前記連続波変換済みビームを生成する段階と、
前記連続波変換済みビームを前記共振器空洞から出力して連続波レーザー出力を提供する段階とを有することを特徴とする方法。
【請求項１９】
前記連続波基本ビームの光学波長及び前記連続波ラマンビームの光学波長の両方における前記第１及び第２反射器の両方の反射率は、９９．５％〜９９．９９％のレンジ内である請求項１８記載の方法。
【請求項２０】
前記方法が、さらに、ラマン活性媒質内で８０ｋＷ／ｃｍ２を上回る前記連続波基本ビームの空洞内強度を提供する段階と、非線形材料内で８０ｋＷ／ｃｍ２を上回る前記連続波ラマンビームの空洞内強度を提供する段階とを有する請求項１８又は１９記載の方法。
【請求項２１】
前記非線形媒質は、調整可能な非線形媒質を有しており、前記方法が、さらに、
前記非線形媒質を調整し、これによって、前記連続波ラマンビーム周波数倍増、前記連続波基本ビームの周波数倍増、並びに、前記連続波基本ビームの波長及び前記連続波ラマンビームの波長の和周波数混合の間の切り換えを可能にするチューナーを提供する段階と、
前記非線形媒質を調整して前記連続波変換済みビームの波長を選択する段階とを有する請求項１８〜２０のいずれか一項に記載の方法。
【手続補正２】
【補正対象書類名】明細書
【補正対象項目名】０４５９
【補正方法】変更
【補正の内容】
【０４５９】
【図１】例１の構成による連続（ＣＷ）ラマンレーザーの概略図である。
【図２Ａ】ＣＷの１０６３、１１７６、及び５８８ｎｍ出力波長における出力電力対ダイオード電流のプロットを示すグラフである。
【図２Ｂ】ＣＷの１０６３、１１７６、及び５８８ｎｍ出力波長における出力電力対ダイオード電流のプロットを示すグラフである。
【図３Ａ】チョッピングされたポンプビームの場合の１０６３、１１７６、及び５８８ｎｍ出力波長における出力電力対ダイオード電流のプロットを示すグラフである。
【図３Ｂ】チョッピングされたポンプビームの場合の１０６３、１１７６、及び５８８ｎｍ出力波長における出力電力対ダイオード電流のプロットを示すグラフである。
【図４Ａ】ＣＷ及びチョッピングされたポンプビームの場合の１０６３、１１７６、及び５８８ｎｍ出力波長における出力電力対ダイオード電流の更なるプロットを示すグラフである。
【図４Ｂ】ＣＷ及びチョッピングされたポンプビームの場合の１０６３、１１７６、及び５８８ｎｍ出力波長における出力電力対ダイオード電流の更なるプロットを示すグラフである。
【図５Ａ】１０６３ｎｍの基本出力、１１７６ｎｍのラマン出力、及び５８８ｎｍの倍増ラマン出力における振幅安定性を示すグラフであって、すべての３つの波長は、同時に記録されたものである。
【図５Ｂ】１０６３ｎｍの基本出力、１１７６ｎｍのラマン出力、及び５８８ｎｍの倍増ラマン出力の各々における振幅位相を示すグラフであって、すべての３つの波長は、低電力において同時に記録されたものである。
【図６】例２の構成のＣＷラマンレーザーシステムの概略図である。
【図７】ダイオードポンプの関数としてのＣＷラマン出力電力及び残留基本出力電力のグラフである。
【図８】ＣＷ及び変調（５０％のデューティサイクル）励起におけるＣＷ及び準ＣＷ５８８ｎｍ出力電力対瞬間ダイオード電力のグラフである。
【図９】例３の構成の自己ラマンレーザーシステムの概略図である。
【図１０】１３及び２４ｍｍの物理空洞長における入射ポンプ電力の関数としてのＣＷラマン（１１７３ｎｍ）出力電力のグラフである。
【図１１】ポンプ電力の関数として最適化されたラマン構成における最適化された基本、最適化されたラマン、及び残留基本のビーム品質ファクタ（Ｍ２）を示すグラフである。
【図１２Ａ】ＣＷ及び準ＣＷ動作におけるポンプ電力の関数としての黄色電力のグラフである。
【図１２Ｂ】２４ｍｍの固定物理空洞長におけるポンプ電力の関数としての最適化された基本出力電力、ラマン出力電力、及び黄色出力電力のグラフである。
【図１３】１６Ｗ（最大黄色出力電力）及び２０．２Ｗのポンプ電力におけるＣＷ基本スペクトル及びラマンスペクトルのグラフである。
【図１４Ａ】それぞれ、近距離１５０ｍＷ出力（倍率：ｘ２）を有する準ＣＷ黄色放射及び１．８８Ｗ出力の近距離最大ポンプの近距離フィールドビームプロファイルのプロットである。
【図１４Ｂ】それぞれ、近距離１５０ｍＷ出力（倍率：ｘ２）を有する準ＣＷ黄色放射及び１．８８Ｗ出力の近距離最大ポンプの近距離フィールドビームプロファイルのプロットである。
【図１５】例４の構成のラマンレーザーシステムの概略図である。
【図１６】例４の構成における短い空洞を使用する１次ストークス動作のレーザー特性のグラフである。
【図１７】例４の更なる構成における短い空洞の場合の残留赤外出力を有する黄色レーザー特性のグラフである。
【図１８】短い空洞における軸方向の位置の関数としてモードサイズの変化を示すＬＡＳＣＡＤ市販レーザー設計ソフトウェアを使用した空洞モードサイズ計算のグラフである。
【図１９】短い空洞における軸方向の位置の関数としてモードサイズの変化を示すＬＡＳＣＡＤ市販レーザー設計ソフトウェアを使用した空洞モードサイズ計算のグラフである。
【図２０】例４の１１２ｍｍ及び１１５ｍｍ長の空洞におけるポンプ電力の関数としての出力電力のグラフである。
【図２１】例４の結合型空洞構成の更なる概略構成を示す図である。
【図２２】数値分析ために使用されたＣＷラマンレーザーシステムの概略構成を示す図である。
【図２３】レーザー結晶内の１５０μｍのスポット、基本放射及びストークス放射における１％の往復損失、基本放射における０．２％の出力結合、及び１５Ｗのダイオードポンプ電力を使用した計算におけるストークス出力結合及びラマン結晶内のスポット半径の関数としての単純なラマンレーザーの出力効率ＰＳＯＵＴ／ＰＰのプロットを示すグラフである。
【図２４】レーザー結晶内の１５０μｍのスポット、ラマン結晶内の１２５μｍのスポット、ストークス放射における２％の出力結合、基本放射における０．２％の出力結合、及び１５Ｗのダイオードポンプ電力を使用した計算におけるストークス及び基本往復損失の関数としての単純なラマンレーザーの出力効率ＰＳＯＵＴ／ＰＰのプロットを示すグラフである。
【図２５】レーザー結晶内の１５０μｍのスポット、基本及びストークスにおける１．０％の往復損失、ＴＤ＝９０％、及び１５Ｗのダイオードポンプ電力を使用した計算における倍増結晶及びラマン結晶内のスポットサイズの関数としての倍増ラマンレーザーの出力効率ＰＤＯＵＴ／ＰＰのプロットを示すグラフである。
【図２６】レーザー結晶内の１５０μｍのスポット、ラマン結晶内の１２５μｍスポットサイズ、倍増結晶内の１００μｍのスポットサイズ、及びＴＤ＝９０％を使用した計算における基本放射及びストークス放射の往復損失の関数としての倍増ラマンレーザーの出力効率ＰＤＯＵＴ／ＰＰのプロットを示すグラフである。
【図２７Ａ】１、２、３、４、及び５ｍｍの結晶長及びそれぞれ０〜５％及び０〜０．５％の共振器往復損失の、ラマン材料としてＢａ（ＮＯ３）２を含むレーザーシステムの連続波ラマン動作を実現するのに必要なラマン材料内の基本ビームの連続波空洞内強度（ラマン閾値）（単位：ＭＷ／ｃｍ２）のグラフである。
【図２７Ｂ】１、２、３、４、及び５ｍｍの結晶長及びそれぞれ０〜５％及び０〜０．５％の共振器往復損失の、ラマン材料としてＢａ（ＮＯ３）２を含むレーザーシステムの連続波ラマン動作を実現するのに必要なラマン材料内の基本ビームの連続波空洞内強度（ラマン閾値）（単位：ＭＷ／ｃｍ２）のグラフである。
【図２７Ｃ】１、２、３、４、及び５ｍｍの結晶長及びそれぞれ０〜５％及び０〜０．５％の共振器往復損失の、ラマン材料としてＢａ（ＮＯ３）２を有するレーザーシステムのラマン閾値における共振器空洞内の連続波空洞内循環ラマン電力のグラフである。
【図２７Ｄ】１、２、３、４、及び５ｍｍの結晶長及びそれぞれ０〜５％及び０〜０．５％の共振器往復損失の、ラマン材料としてＢａ（ＮＯ３）２を有するレーザーシステムのラマン閾値における共振器空洞内の連続波空洞内循環ラマン電力のグラフである。
【図２８Ａ】１、２、３、４、及び５ｍｍの結晶長及びそれぞれ０〜５％及び０〜０．５％の共振器往復損失の、ラマン材料としてＫＧＷを含むレーザーシステムの連続波ラマン動作を実現するのに必要なラマン材料内の基本ビームの連続波空洞内強度（ラマン閾値）（単位：Ｗ／ｃｍ２）のグラフである。
【図２８Ｂ】１、２、３、４、及び５ｍｍの結晶長及びそれぞれ０〜５％及び０〜０．５％の共振器往復損失の、ラマン材料としてＫＧＷを含むレーザーシステムの連続波ラマン動作を実現するのに必要なラマン材料内の基本ビームの連続波空洞内強度（ラマン閾値）（単位：Ｗ／ｃｍ２）のグラフである。
【図２８Ｃ】１、２、３、４、及び５ｍｍの結晶長及びそれぞれ０〜５％及び０〜０．５％の共振器往復損失の、ラマン材料としてＫＧＷを有するレーザーシステムのラマン閾値における共振器空洞内の連続波空洞内循環ラマン電力のグラフである。
【図２８Ｄ】１、２、３、４、及び５ｍｍの結晶長及びそれぞれ０〜５％及び０〜０．５％の共振器往復損失の、ラマン材料としてＫＧＷを有するレーザーシステムのラマン閾値における共振器空洞内の連続波空洞内循環ラマン電力のグラフである。
【図２９Ａ】１、２、３、４、及び５ｍｍの結晶長及びそれぞれ０〜５％及び０〜０．５％の共振器往復損失の、ラマン材料としてＢａ（ＷＯ４）を含むレーザーシステムの連続波ラマン動作を実現するのに必要なラマン材料内の基本ビームの連続波空洞内強度（ラマン閾値）（単位：ＭＷ／ｃｍ２）のグラフである。
【図２９Ｂ】１、２、３、４、及び５ｍｍの結晶長及びそれぞれ０〜５％及び０〜０．５％の共振器往復損失の、ラマン材料としてＢａ（ＷＯ４）を含むレーザーシステムの連続波ラマン動作を実現するのに必要なラマン材料内の基本ビームの連続波空洞内強度（ラマン閾値）（単位：ＭＷ／ｃｍ２）のグラフである。
【図２９Ｃ】１、２、３、４、及び５ｍｍの結晶長及びそれぞれ０〜５％及び０〜０．５％の共振器往復損失の、ラマン材料としてＢａ（ＷＯ４）を有するレーザーシステムのラマン閾値における共振器空洞内の連続波空洞内循環ラマン電力のグラフである。
【図２９Ｄ】１、２、３、４、及び５ｍｍの結晶長及びそれぞれ０〜５％及び０〜０．５％の共振器往復損失の、ラマン材料としてＢａ（ＷＯ４）を有するレーザーシステムのラマン閾値における共振器空洞内の連続波空洞内循環ラマン電力のグラフである。
【図３０Ａ】それぞれ、ラマン結晶及び非線形結晶（それぞれ、ＫＧＷ及びＬＢＯであり、ポンプ電力は１５Ｗである）内のスポットサイズの関数としての、基本波長におけるモデル化された空洞内循環電力（ＰＦ）、ストークス（ラマンシフトされた基本）波長における空洞内循環電力（ＰＳ）、可視領域内の周波数変換済み（倍増）波長における出力電力（ＰＤＯＵＴ）、並びに、非線形変換効率を示すグラフである。
【図３０Ｂ】それぞれ、ラマン結晶及び非線形結晶（それぞれ、ＫＧＷ及びＬＢＯであり、ポンプ電力は１５Ｗである）内のスポットサイズの関数としての、基本波長におけるモデル化された空洞内循環電力（ＰＦ）、ストークス（ラマンシフトされた基本）波長における空洞内循環電力（ＰＳ）、可視領域内の周波数変換済み（倍増）波長における出力電力（ＰＤＯＵＴ）、並びに、非線形変換効率を示すグラフである。
【図３０Ｃ】それぞれ、ラマン結晶及び非線形結晶（それぞれ、ＫＧＷ及びＬＢＯであり、ポンプ電力は１５Ｗである）内のスポットサイズの関数としての、基本波長におけるモデル化された空洞内循環電力（ＰＦ）、ストークス（ラマンシフトされた基本）波長における空洞内循環電力（ＰＳ）、可視領域内の周波数変換済み（倍増）波長における出力電力（ＰＤＯＵＴ）、並びに、非線形変換効率を示すグラフである。
【図３０Ｄ】それぞれ、ラマン結晶及び非線形結晶（それぞれ、ＫＧＷ及びＬＢＯであり、ポンプ電力は１５Ｗである）内のスポットサイズの関数としての、基本波長におけるモデル化された空洞内循環電力（ＰＦ）、ストークス（ラマンシフトされた基本）波長における空洞内循環電力（ＰＳ）、可視領域内の周波数変換済み（倍増）波長における出力電力（ＰＤＯＵＴ）、並びに、非線形変換効率を示すグラフである。
【図３１Ａ】それぞれ、ラマン結晶及び非線形結晶（それぞれ、ＫＧＷ及びＬＢＯであり、ポンプ電力は７．５Ｗである）内のスポットサイズ関数としての、基本波長におけるモデル化された空洞内循環電力（ＰＦ）、ストークス（ラマンシフトされた基本）波長における空洞内循環電力（ＰＳ）、可視内の周波数変換済み（倍増）波長における出力電力（ＰＤＯＵＴ）、並びに、非線形変換効率を示すグラフである。
【図３１Ｂ】それぞれ、ラマン結晶及び非線形結晶（それぞれ、ＫＧＷ及びＬＢＯであり、ポンプ電力は７．５Ｗである）内のスポットサイズ関数としての、基本波長におけるモデル化された空洞内循環電力（ＰＦ）、ストークス（ラマンシフトされた基本）波長における空洞内循環電力（ＰＳ）、可視内の周波数変換済み（倍増）波長における出力電力（ＰＤＯＵＴ）、並びに、非線形変換効率を示すグラフである。
【図３１Ｃ】それぞれ、ラマン結晶及び非線形結晶（それぞれ、ＫＧＷ及びＬＢＯであり、ポンプ電力は７．５Ｗである）内のスポットサイズ関数としての、基本波長におけるモデル化された空洞内循環電力（ＰＦ）、ストークス（ラマンシフトされた基本）波長における空洞内循環電力（ＰＳ）、可視内の周波数変換済み（倍増）波長における出力電力（ＰＤＯＵＴ）、並びに、非線形変換効率を示すグラフである。
【図３１Ｄ】それぞれ、ラマン結晶及び非線形結晶（それぞれ、ＫＧＷ及びＬＢＯであり、ポンプ電力は７．５Ｗである）内のスポットサイズ関数としての、基本波長におけるモデル化された空洞内循環電力（ＰＦ）、ストークス（ラマンシフトされた基本）波長における空洞内循環電力（ＰＳ）、可視内の周波数変換済み（倍増）波長における出力電力（ＰＤＯＵＴ）、並びに、非線形変換効率を示すグラフである。
【図３２】基本波長における空洞内循環電力（ＰＦ）、ストークス（ラマンシフトされた基本）波長における空洞内循環電力（ＰＳ）、及び可視領域内の周波数変換済み（倍増）波長における出力電力（ＰＤＯＵＴ）をそれぞれ示す３つの等高線プロットの集合を示す図であって、ここに、基本波長における往復損失は、１．５％であり、ラマン／ストークス波長における往復損失は、１．５％である。
【図３３】図３２の等高線プロットに類似した３つの等高線プロットの集合を示す図であって、ここに、基本波長における往復損失は、０．５％であり、ラマン／ストークス波長における往復損失は、１．５％である。
【図３４】図３２の等高線プロットに類似した３つの等高線プロットの集合を示す図であって、ここに、基本波長における往復損失は、１．５％であり、ラマン／ストークス波長における往復損失は、０．５％である。
【図３５】図３２の等高線プロットに類似した３つの等高線プロットの集合を示す図であって、ここに、基本波長における往復損失は、０．５％であり、ラマン／ストークス波長における往復損失は、０．５％である。
【図３６】それぞれ、１５Ｗのポンプ電力及び２００μｍのラマン材料及び非線形材料（それぞれ、ＫＧＷ及びＬＢＮＯ）内のスポットサイズにおけるラマン基本波長の往復共振器損失の関数として、基本波長における空洞内循環電力（ＰＦ）、ストークス（ラマンシフトされた基本）波長における空洞内循環電力（ＰＳ）、及び周波数変換済み（倍増）波長における出力電力（ＰＤＯＵＴ）をそれぞれ示す３つの等高線プロットの集合を表す図である。
【図３７Ａ】往復共振器損失の関数として共振器のフィネスを示すグラフである。
【図３７Ｂ】往復共振器損失の関数として共振器のフィネスを示すグラフである。
【図３７Ｃ】往復共振器損失の関数として共振器のフィネスを示すグラフである。
【図３７Ｄ】往復共振器損失の関数として共振器のフィネスを示すグラフである。